(57)【要約】【課題】電力管理システムからの節電指示時に、不安定動作により暖房・冷房快適性が低下するのを抑制する。【解決手段】ＨＥＭＳ機器２００からの節電指示信号の受信回数又は受信頻度に応じて、エアコン設定温度Ｔｃｏｎ及び目標戻り温度Ｔａが可変に設定される。これにより、節電指示信号の受信回数や受信頻度に応じて室外機４の能力を適宜に抑制しそれぞれにおける消費電力を低減できる。また不安定動作により不快感がもたらされるのを防止し、冷暖房時の快適性の低下を最小限にとどめることができる。【選択図】図１０
2020190349.tif 000002
【特許請求の範囲】
【請求項１】
電気式の熱源部を有する暖房装置において、
暖房能力に係わる所定の暖房制御値に基づき、前記熱源部の能力を制御する熱源制御手段と、
外部の電力管理システムからの節電指示信号を受信する受信手段と、
前記受信手段で受信した節電指示信号のカウント累積情報に応じて、前記暖房制御値を可変に設定する暖房制御値設定手段と、
を備えたことを特徴とする暖房装置。
【請求項２】
前記暖房制御値設定手段は、
前記カウント累積情報の累積度合いに応じて、前記暖房制御値の変化割合を変える
ことを特徴とする請求項１記載の暖房装置。
【請求項３】
前記カウント累積情報は、
前記電力管理システムからの前記節電指示信号の累積受信回数を含む
ことを特徴とする請求項１または請求項２記載の暖房装置。
【請求項４】
前記カウント累積情報は、さらに、
前記電力管理システムからの前記節電指示信号の受信頻度を含む
ことを特徴とする請求項３記載の暖房装置。
【請求項５】
前記熱源部は、
冷媒を圧縮する圧縮機と、前記冷媒と温水との熱交換を行う水冷媒熱交換器と、を有する室外機であり、
前記暖房装置は、さらに、
水循環回路を介し前記水冷媒熱交換器から供給される前記温水により放熱する熱交換器を備え、空調対象空間を加温する暖房端末をさらに有し、
前記熱源制御手段は、
前記水循環回路を介し前記暖房端末の前記熱交換器から戻る水戻り温度が、前記暖房制御値としての目標戻り温度となるように、前記圧縮機を制御する第１圧縮機制御手段を含む
ことを特徴とする請求項１乃至請求項４の何れか１項に記載の暖房装置。
【請求項６】
前記熱源部は、
冷媒を圧縮する圧縮機を有する室外機であり、
前記暖房装置は、さらに、
冷媒循環回路を介し前記圧縮機から供給される前記冷媒の凝縮により放熱する室内熱交換器を備え、空調対象空間の室内空気を加温する室内機を有し、
前記熱源制御手段は、
前記空調対象空間の実室温が、室温設定手段により設定された前記暖房制御値としての設定室温となるように、前記圧縮機を制御する第２圧縮機制御手段を含む
ことを特徴とする請求項１乃至請求項４の何れか１項に記載の暖房装置。
【請求項７】
電気式の熱源部を有する冷房装置において、
冷房能力に係わる所定の冷房制御値に基づき、前記熱源部の能力を制御する熱源制御手段と、
外部の電力管理システムからの節電指示信号を受信する受信手段と、
前記受信手段で受信した節電指示信号のカウント累積情報に応じて、前記冷房制御値を可変に設定する冷房制御値設定手段と、
を備えたことを特徴とする冷房装置。
【請求項８】
前記冷房制御値設定手段は、
前記カウント累積情報の累積度合いに応じて、前記冷房制御値の変化割合を変える
ことを特徴とする請求項７記載の冷房装置。
【請求項９】
前記カウント累積情報は、
前記電力管理システムからの前記節電指示信号の累積受信回数を含む
ことを特徴とする請求項７または請求項８記載の冷房装置。
【請求項１０】
前記カウント累積情報は、さらに、
前記電力管理システムからの前記節電指示信号の受信頻度を含む
ことを特徴とする請求項９記載の冷房装置。
【請求項１１】
前記熱源部は、
冷媒を圧縮する圧縮機と、前記冷媒と冷水との熱交換を行う水冷媒熱交換器と、を有する室外機であり、
前記冷房装置は、さらに、
水循環回路を介し前記水冷媒熱交換器から供給される前記冷水により吸熱する熱交換器を備え、空調対象空間を冷却する冷房端末をさらに有し、
前記熱源制御手段は、
前記水循環回路を介し前記冷房端末の前記熱交換器から戻る水戻り温度が、前記冷房制御値としての目標戻り温度となるように、前記圧縮機を制御する第３圧縮機制御手段を含む
ことを特徴とする請求項７乃至請求項１０の何れか１項に記載の冷房装置。
【請求項１２】
前記熱源部は、
冷媒を圧縮する圧縮機を有する室外機であり、
前記冷房装置は、さらに、
冷媒循環回路を介し前記圧縮機から供給される前記冷媒の蒸発により吸熱する室内熱交換器を備え、空調対象空間の室内空気を冷却する室内機を有し、
前記熱源制御手段は、
前記空調対象空間の実室温が、室温設定手段により設定された前記冷房制御値としての設定室温となるように、前記圧縮機を制御する第４圧縮機制御手段を含む
ことを特徴とする請求項７乃至請求項１０の何れか１項に記載の冷房装置。
【発明の詳細な説明】
【技術分野】
【０００１】
この発明は、電力管理システムから節電指示信号が受信される暖房装置及び冷房装置に関するものである。
【背景技術】
【０００２】
従来よりこの種の装置においては、特許文献１記載のように、電力管理システムからの節電指示信号の入力に応じて、ヒートポンプ装置の動作制限を行うものがあった。
【先行技術文献】
【特許文献】
【０００３】
【特許文献１】特開２０１７−１９８４３１号公報
【発明の概要】
【発明が解決しようとする課題】
【０００４】
この従来のものにおいては、具体的には、節電指示信号の入力時の前記動作制限として、ヒートポンプ装置に備えられた圧縮機の回転数の上限値が設定される。その結果、圧縮機の回転数強制低下で消費電力低減→制限解除→圧縮機のフル回転で消費電力増大→再び回転数強制低下→・・を繰り返す不安定動作が生じ、さらにこれを暖房装置及び冷房装置に適用した場合に、これによって温度が乱高下して不快感をもたらすという問題があった。
【課題を解決するための手段】
【０００５】
上記課題を解決するために、本発明の請求項１では、電気式の熱源部を有する暖房装置において、暖房能力に係わる所定の暖房制御値に基づき、前記熱源部の能力を制御する熱源制御手段と、外部の電力管理システムからの節電指示信号を受信する受信手段と、前記受信手段で受信した節電指示信号のカウント累積情報に応じて、前記暖房制御値を可変に設定する暖房制御値設定手段と、を備えたものである。
【０００６】
また、請求項２では、前記暖房制御値設定手段は、前記カウント累積情報の累積度合いに応じて、前記暖房制御値の変化割合を変えるものである。
【０００７】
また、請求項３では、前記カウント累積情報は、前記電力管理システムからの前記節電指示信号の累積受信回数を含むものである。
【０００８】
また、請求項４では、前記カウント累積情報は、さらに、前記電力管理システムからの前記節電指示信号の受信頻度を含むものである。
【０００９】
また、請求項５では、前記熱源部は、冷媒を圧縮する圧縮機と、前記冷媒と温水との熱交換を行う水冷媒熱交換器と、を有する室外機であり、前記暖房装置は、さらに、水循環回路を介し前記水冷媒熱交換器から供給される前記温水により放熱する熱交換器を備え、空調対象空間を加温する暖房端末をさらに有し、前記熱源制御手段は、前記水循環回路を介し前記暖房端末の前記熱交換器から戻る水戻り温度が、前記暖房制御値としての目標戻り温度となるように、前記圧縮機を制御する第１圧縮機制御手段を含むものである。
【００１０】
また、請求項６では、前記熱源部は、冷媒を圧縮する圧縮機を有する室外機であり、前記暖房装置は、さらに、冷媒循環回路を介し前記圧縮機から供給される前記冷媒の凝縮により放熱する室内熱交換器を備え、空調対象空間の室内空気を加温する室内機を有し、前記熱源制御手段は、前記空調対象空間の実室温が、室温設定手段により設定された前記暖房制御値としての設定室温となるように、前記圧縮機を制御する第２圧縮機制御手段を含むものである。
【００１１】
上記課題を解決するために、本発明の請求項７では、電気式の熱源部を有する冷房装置において、冷房能力に係わる所定の冷房制御値に基づき、前記熱源部の能力を制御する熱源制御手段と、外部の電力管理システムからの節電指示信号を受信する受信手段と、前記受信手段で受信した節電指示信号のカウント累積情報に応じて、前記冷房制御値を可変に設定する冷房制御値設定手段と、を備えたものである。
【００１２】
また、請求項８では、前記冷房制御値設定手段は、前記カウント累積情報の累積度合いに応じて、前記冷房制御値の変化割合を変えるものである。
【００１３】
また、請求項９では、前記カウント累積情報は、前記電力管理システムからの前記節電指示信号の累積受信回数を含むものである。
【００１４】
また、請求項１０では、前記カウント累積情報は、さらに、前記電力管理システムからの前記節電指示信号の受信頻度を含むものである。
【００１５】
また、請求項１１では、前記熱源部は、冷媒を圧縮する圧縮機と、前記冷媒と冷水との熱交換を行う水冷媒熱交換器と、を有する室外機であり、前記冷房装置は、さらに、水循環回路を介し前記水冷媒熱交換器から供給される前記冷水により吸熱する熱交換器を備え、空調対象空間を冷却する冷房端末をさらに有し、前記熱源制御手段は、前記水循環回路を介し前記冷房端末の前記熱交換器から戻る水戻り温度が、前記冷房制御値としての目標戻り温度となるように、前記圧縮機を制御する第３圧縮機制御手段を含むものである。
また、請求項１２では、前記熱源部は、冷媒を圧縮する圧縮機を有する室外機であり、前記冷房装置は、さらに、冷媒循環回路を介し前記圧縮機から供給される前記冷媒の蒸発により吸熱する室内熱交換器を備え、空調対象空間の室内空気を冷却する室内機を有し、前記熱源制御手段は、前記空調対象空間の実室温が、室温設定手段により設定された前記冷房制御値としての設定室温となるように、前記圧縮機を制御する第４圧縮機制御手段を含むものである。
【発明の効果】
【００１６】
この発明の請求項１の暖房装置によれば、電気式の熱源部が備えられており、その能力が熱源制御手段によって制御される。このとき、この暖房装置は、家屋に設けられる、例えばＨＥＭＳ（＝Ｈｏｍｅ  Ｅｎｅｒｇｙ  Ｍａｎａｇｅｍｅｎｔ  Ｓｙｓｔｅｍ）等の外部の電力管理システムに接続されて用いられる。
前記電力管理システムは、例えば前記家屋の電力使用状況や回路ごとの消費電力量の情報を収集可能であり、前記家屋の電力マネジメントを行う。そして、例えば当該家屋の全電気器具により消費する電力が所定の制限値（電力値でも電流値でもよい）に達した場合には、前記電力管理システムから暖房装置に対し節電を要求する節電指示信号が出力される。
請求項１によれば、暖房装置に暖房制御値設定手段が設けられる。この暖房制御値設定手段は、前記電力管理システムから受信手段により受信される前記節電指示信号に応じ、その受信されるときのカウント累積情報に応じて、前記熱源制御手段が前記熱源部の能力を制御するときの制御値（暖房制御値）を、可変に設定する。これにより、例えば前記節電指示信号の受信回数や受信頻度等に応じて前記熱源部の能力を抑制し、前記暖房装置における消費電力を低減することができる。
この結果、前記節電指示信号の入力に応じてヒートポンプ装置の動作を制限する従来手法のように、動作制限で消費電力低減→制限解除→フル動作で消費電力増大→再び動作制限→・・のような繰り返しによる不安定動作を回避し、安定的に消費電力の低減を図ることができる。また前記不安定動作により不快感がもたらされるのを防止し、暖房時の快適性の低下を最小限にとどめることができる。
【００１７】
また、請求項２によれば、暖房制御値の変化割合をカウント累積情報の累積度合いに応じて変化させる。これにより、例えば前記節電指示信号の１回目の受信で暖房制御値を変化させた後、２回目の受信では暖房制御値をさらに大きく変化させる等の、きめ細かい制御を実現することができる。この結果、暖房装置における消費電力を確実に低減することができる。
【００１８】
また、請求項３によれば、前記節電指示信号の受信回数に応じて前記熱源部の能力を抑制し、前記暖房装置における消費電力を低減することができる。
【００１９】
また、請求項４によれば、さらに前記節電指示信号の受信頻度に応じて前記熱源部の能力を抑制し、前記暖房装置における消費電力を低減することができる。
【００２０】
また、請求項５によれば、暖房端末へ温水を供給する水循環回路の水戻り温度が目標戻り温度となるように、熱源部としての室外機に備えられた圧縮機が制御される構成において、前記目標戻り温度が、節電指示信号のカウント累積情報に応じて可変に設定される。これにより、例えば前記節電指示信号の受信回数や受信頻度等に応じて目標戻り温度を低くすることで暖房能力を抑制し、暖房端末の運転に係る消費電力を低減することができる。
【００２１】
また、請求項６によれば、実室温が室温設定手段で設定される設定室温となるように、熱源部としての室外機に備えられた圧縮機が制御される構成において、前記設定室温が、節電指示信号のカウント累積情報に応じて可変に設定される。これにより、例えば前記節電指示信号の受信回数や受信頻度等に応じて設定室温を低くすることで暖房能力を抑制し、室内機の運転に係る消費電力を低減することができる。
【００２２】
また、この発明の請求項７の冷房装置によれば、電気式の熱源部が備えられており、その能力が熱源制御手段によって制御される。このとき、この冷房装置は、家屋に設けられる、例えばＨＥＭＳ（＝Ｈｏｍｅ  Ｅｎｅｒｇｙ  Ｍａｎａｇｅｍｅｎｔ  Ｓｙｓｔｅｍ）等の外部の電力管理システムに接続されて用いられる。
前記電力管理システムは、例えば前記家屋の電力使用状況や回路ごとの消費電力量の情報を収集可能であり、前記家屋の電力マネジメントを行う。そして、例えば当該家屋の全電気器具により消費する電力が所定の制限値（電力値でも電流値でもよい）に達した場合には、前記電力管理システムから冷房装置に対し節電を要求する節電指示信号が出力される。
請求項７によれば、冷房装置に冷房制御値設定手段が設けられる。この冷房制御値設定手段は、前記電力管理システムから受信手段により受信される前記節電指示信号に応じ、その受信されるときのカウント累積情報に応じて、前記熱源制御手段が前記熱源部の能力を制御するときの制御値（冷房制御値）を、可変に設定する。これにより、例えば前記節電指示信号の受信回数や受信頻度等に応じて前記熱源部の能力を抑制し、前記冷房装置における消費電力を低減することができる。
この結果、前記節電指示信号の入力に応じて前記ヒートポンプ装置の動作を制限する従来手法のように、動作制限で消費電力低減→制限解除→フル動作で消費電力増大→再び動作制限→・・のような繰り返しによる不安定動作を回避し、安定的に消費電力の低減を図ることができる。また前記不安定動作により不快感がもたらされるのを防止し、冷房時の快適性の低下を最小限にとどめることができる。
【００２３】
また、請求項８によれば、冷房制御値の変化割合をカウント累積情報の累積度合いに応じて変化させる。これにより、例えば前記節電指示信号の１回目の受信で冷房制御値を変化させた後、２回目の受信では冷房制御値をさらに大きく変化させる等の、きめ細かい制御を実現することができる。この結果、冷房装置における消費電力を確実に低減することができる。
【００２４】
また、請求項９によれば、前記節電指示信号の受信回数に応じて前記熱源部の能力を抑制し、前記冷房装置における消費電力を低減することができる。
【００２５】
また、請求項１０によれば、さらに前記節電指示信号の受信頻度に応じて前記熱源部の能力を抑制し、前記冷房装置における消費電力を低減することができる。
【００２６】
また、請求項１１によれば、冷房端末へ冷水を供給する水循環回路の水戻り温度が目標戻り温度となるように、熱源部としての室外機に備えられた圧縮機が制御される構成において、前記目標戻り温度が、節電指示信号のカウント累積情報に応じて可変に設定される。これにより、例えば前記節電指示信号の受信回数や受信頻度等に応じて目標戻り温度を高くすることで冷房能力を抑制し、冷房端末の運転に係る消費電力を低減することができる。
また、請求項１２によれば、実室温が室温設定手段で設定される設定室温となるように、熱源部としての室外機に備えられた圧縮機が制御される構成において、前記設定室温が、節電指示信号のカウント累積情報に応じて可変に設定される。これにより、例えば前記節電指示信号の受信回数や受信頻度等に応じて設定室温を高くすることで冷房能力を抑制し、室内機の運転に係る消費電力を低減することができる。
【図面の簡単な説明】
【００２７】
【図１】本発明の一実施形態の空調システム全体の回路構成図
【図２】床暖房リモコンの外観図
【図３】室外機制御部の機能的構成図
【図４】エアコン設定温度の温度区分と各区分に対応する床暖房端末への湯水の温度レベルとの相関、及び、前記温度レベルと目標戻り温度との相関、を表すテーブル図
【図５】室内機制御部の機能的構成図
【図６】床暖房運転時の作動を説明する図
【図７】温風暖房運転時の作動を説明する図
【図８】連動運転時の作動を説明する図
【図９】節電指示信号の入力で圧縮機回転数上限が定められる比較例における、温度・電流挙動の一例を表すグラフ図
【図１０】本発明の一実施形態の手法による、温度・電流挙動の一例を表すグラフ図
【図１１】連動運転時において室内機制御部及び室外機制御部が協働して実行する制御手順を表すフローチャート図
【図１２】冷風冷房運転を行う変形例において、当該冷風冷房運転時の作動を説明する図
【図１３】冷風冷房運転時における温度・電流挙動の一例を表すグラフ図
【図１４】冷風冷房運転時において室内機制御部が実行する制御手順を表すフローチャート図
【発明を実施するための形態】
【００２８】
以下、本発明の実施形態を図１〜図１４に基づいて説明する。
【００２９】
本発明の一実施形態の暖房装置及び冷房装置を含む空調システム１全体の回路構成を図１に示す。図１に示すように、空調システム１は、空調システム１の熱源である室外機４（熱源部の一例としてのに相当）と、床暖房端末２７と、室内機１７と、を有している。
【００３０】
＜加熱循環回路＞
前記室外機４は、冷媒を流通させる冷媒側の流路７ｂと水側の流路７ａとを有し、高温高圧の冷媒と床暖房端末２７への湯水（循環液の一例に相当）とを熱交換する凝縮器として機能する水冷媒熱交換器７と、回転数可変の循環ポンプ３４と、を備えている。すなわち、前記水冷媒熱交換器７の前記水側の流路７ａと前記床暖房端末２７とが水配管としての往き管２８及び戻り管２９によって環状に接続され、水循環回路としての加熱循環回路３３が形成されている。
【００３１】
水冷媒熱交換器７から床暖房端末２７内の熱交換器（図示省略。温水により放熱する熱交換器に相当）に向かって延びる前記往き管２８の途中には、１つの往きヘッダ３０が設けられている。往き管２８のうち往きヘッダ３０より上流側部分は、１つの共通往き管２８ａとして構成され、水冷媒熱交換器７にて加熱された温水（不凍液等を含む水以外の循環液であってもよい。以下同様）が供給される。そして、往き管２８のうち往きヘッダ３０より下流側部分は複数（図示の例では４本）の個別往き管２８ｂに分岐している。分岐した個別往き管２８ｂには、それぞれ開閉弁である熱動弁３１が付設されている。
【００３２】
前記往き管２８と同様に、床暖房端末２７内の前記熱交換器から水冷媒熱交換器７に向かって延びる戻り管２９の途中には、１つの戻りヘッダ３２が設けられており、戻り管２９のうち戻りヘッダ３２より上流側部分は、複数（ここでは４本）の個別戻り管２９ｂに分岐している。そして、戻り管２９のうち戻りヘッダ３２より下流側部分は、１つの共通戻り管２９ａとして構成され、個別戻り管２９ｂを介して導入された温水が水冷媒熱交換器７へと戻される。
【００３３】
なお、本実施形態では、説明を簡略化するため、１つの床暖房端末２７が接続された例を示しているが、上記のように分岐した４本の個別往き管２８ｂそれぞれに床暖房端末２７を接続（すなわち４台接続）としてもよい。
【００３４】
前記循環ポンプ３４は、前記共通戻り管２９ａの途中に設けられ、前記水側の流路７ａを介し前記戻り管２９からの湯水を前記往き管２８へ流通させつつ、床暖房端末２７の湯水を循環させる。共通戻り管２９ａのうち循環ポンプ３４の上流側には、温水を貯留し加熱循環回路３３の圧力を調整するシスターン３５が備えられている。前記戻り管２９の前記個別戻り管２９ｂのそれぞれには、前記水冷媒熱交換器７の前記水側の流路７ａに流入する湯水の水戻り温度としての入水温度Ｔ１を検出する、入水温度センサ１２３が設けられている。
【００３５】
＜冷媒循環回路＞
一方、室外機４から前記室内機１７にかけて、前記水冷媒熱交換器７における熱交換（詳細は後述）によって前記床暖房端末２７内の湯水を加熱可能な冷媒循環回路１３０が設けられている。前記冷媒循環回路１３０は、主ヒートポンプ回路部１３０Ａと、床暖側ヒートポンプ回路部１３０Ｂと、空調側ヒートポンプ回路部１３０Ｃと、を含んでいる。
【００３６】
＜主ヒートポンプ回路部＞
前記主ヒートポンプ回路部１３０Ａは、前記冷媒の流路となる冷媒配管１１を備えており、冷媒（循環液の他の例に相当）を圧縮する圧縮機５と、四方弁６と、前記冷媒と外気との熱交換により凝縮器又は蒸発器として選択的に機能する熱源側熱交換器としての空気熱交換器１０とが、前記冷媒配管１１によって接続されている。空気熱交換器１０は、例えばフィンチューブ式の熱交換器であり、当該空気熱交換器１０に外気を通じるための室外ファン９が設けられている。なお、前記の圧縮機５、空気熱交換器１０、及び水冷媒熱交換器７等がヒートポンプ装置の一例に相当している。
【００３７】
詳細には、前記冷媒配管１１は、圧縮機５の吐出側となる配管部１１ａと、床暖房運転時（後述の図６等参照）等において前記四方弁６を介し前記配管部１１ａに接続される配管部１１ｂとを含んでいる。
【００３８】
また前記冷媒配管１１は、前記圧縮機５の吸入側となる配管部１１ｃと、床暖房運転時（後述の図６参照）等において前記空気熱交換器１０の圧縮機５側（言い替えれば前記床暖房運転時等における出口側、以下同様。後述の図６等参照）を前記四方弁６を介し前記配管部１１ｃに接続する配管部１１ｄと、前記空気熱交換器１０の反圧縮機５側（言い替えれば前記床暖房運転時等における入口側、以下同様。後述の図６等参照）に接続される配管部１１ｅとを含んでいる。
【００３９】
前記四方弁６は４つのポートを備える弁であり、前記冷媒配管１１のうち（冷媒主経路を構成する）前記配管部１１ｂ，１１ｄ用の２つのポートのそれぞれに対して、残りの前記配管部１１ａ，１１ｃ用の２つのポートのいずれを接続するかを切り替える。前記配管部１１ａ，１１ｃ用の２つのポートどうしは、ループ状に配置された前記配管部１１ａ，１１ｃからなる冷媒副経路によって接続されており、この冷媒副経路上に前記圧縮機５が設けられている。例えば四方弁６は、後述する図６の状態に切り替えられた場合は、前記圧縮機５の吐出側である前記配管部１１ａを前記水冷媒熱交換器７の入口側である前記配管部１１ｂに連通させる。その一方、後述する冷風冷房運転の実行時には、前記配管部１１ａを前記空気熱交換器１０側である前記配管部１１ｄに連通させる。
【００４０】
＜床暖側ヒートポンプ回路部＞
前記床暖側ヒートポンプ回路部１３０Ｂは、前記冷媒の流路となる冷媒配管１２５を備えており、前記水冷媒熱交換器７の前記冷媒側の流路７ｂが、前記冷媒配管１２５に接続されている。
【００４１】
詳細には、前記冷媒配管１２５は、前記配管部１１ｂから分岐して接続されるとともに、反配管部１１ｂ側が前記水冷媒熱交換器７（詳細には前記冷媒側の流路７ｂ）の入口側に接続される配管部１２５ｂと、前記水冷媒熱交換器７（詳細には前記冷媒側の流路７ｂ）の出口側に接続される配管部１２５ｃとを含んでいる。前記配管部１２５ｃは、全閉機能付きの膨張弁８を備えており、膨張弁８より下流側で、前記配管部１１ｅに連通している。
【００４２】
＜空調側ヒートポンプ回路部＞
前記空調側ヒートポンプ回路部１３０Ｃは、前記冷媒の流路となる冷媒配管１２６を備えており、前記冷媒と室内空気との熱交換により凝縮器又は蒸発器として選択的に機能する室内熱交換器１４（冷媒の凝縮により放熱する熱交換器、冷媒の蒸発により吸熱する熱交換器、に相当）が前記冷媒配管１２６に接続されている。室内熱交換器１４には、前記室内熱交換器１４に室内空気を通じるための室内ファン１８が設けられている。室内ファン１８の作動により送られる室内空気が室内熱交換器１４にて熱交換され、熱交換により加熱加温または吸熱冷却された空気が室内に供給される。
【００４３】
前記空調側ヒートポンプ回路部１３０Ｃにおいて、詳細には、前記冷媒配管１２６は、前記配管部１２５ｂ同様、前記配管部１１ｂから分岐して接続されるとともに、反配管部１１ｂ側が前記室内熱交換器１４の温風暖房運転時等における入口側（後述の図７等参照）に接続される配管部１２６ａと、前記配管部１２５ｃと同様に一方側が前記配管部１１ｅに連通するとともに、反配管部１１ｅ側が前記室内熱交換器１４の温風暖房運転時等における出口側（後述の図７等参照）に接続される配管部１２６ｂと、を含んでいる。前記配管部１２６ａは、前記配管部１１ｂと前記室内熱交換器１４との間の連通を開閉可能な二方弁１６を備えており、前記配管部１２６ｂは、全閉機能付きの膨張弁１５を備えている。二方弁１６は、空調側ヒートポンプ回路部１３０Ｃを循環する冷媒の流れを、開弁することで流通可能状態とし、また、閉弁することで遮断状態とする。
【００４４】
＜冷媒・各種検出信号等＞
前記冷媒循環回路１３０内には、冷媒として例えばＨＦＣ冷媒や二酸化炭素冷媒等の任意の冷媒が用いられ、ヒートポンプサイクルを構成している。そして、前記主ヒートポンプ回路部１３０Ａの前記冷媒配管１１において、前記配管部１１ａには、圧縮機５から吐出される冷媒吐出温度Ｔｏｕｔを検出する吐出温度センサ１２０が設けられている。このセンサ１２０の検出結果は、室外機４に設けられた室外機制御部４４に入力される。室外機制御部４４は、主にＣＰＵ、ＲＯＭ、ＲＡＭ等を備えたマイクロコンピュータで構成され、後述のように室外機４内の各種センサ、室内機制御部２０、床暖房リモコン３６等からの信号を受けて、空調システム１の動作を制御する。
【００４５】
また、前記空調側ヒートポンプ回路部１３０Ｃの前記冷媒配管１２６に関して、前記室内熱交換器１４には、空調対象空間の室内温度Ｔｒ（実室温に相当）を検出する室内温度センサ１９が設けられている。このセンサ１９の検出結果は、室内機１７に設けられた室内機制御部２０に入力され、さらに適宜、室外機４に設けられた前記室外機制御部４４へも入力される（室内機制御部２０を介し受信しても良いし、センサ１９から直接受信してもよい）。
【００４６】
そして、前記室外機４の前記室外機制御部４４と、前記室内機１７の前記室内機制御部２０とは、互いに通信可能に接続されており、前記各センサの検出結果に基づき、相互に連携しつつ、前記室外機４内の各機器・アクチュエータの動作を制御する。特に、前記四方弁６、前記二方弁１６、及び前記膨張弁８，１５の開閉動作や開度を制御し、冷媒の流れる経路を切り替えることにより、前記床暖房端末２７により前記空調対象空間の床面を加温する床暖房運転、前記室内機１７により前記空調対象空間の室内空気を加熱する温風暖房運転、前記床暖房運転と前記温風暖房運転とを互いに連動して行う連動運転、前記室内機１７により前記空調対象空間の室内空気を冷却する冷風冷房運転、等を選択的に実行することができる。
【００４７】
一方、本実施形態の空調システム１には、この空調システム１が設けられる家屋の電力マネジメントを行うための、電力管理システムとしてのＨＥＭＳ（＝Ｈｏｍｅ  Ｅｎｅｒｇｙ  Ｍａｎａｇｅｍｅｎｔ  Ｓｙｓｔｅｍ）機器２００が設けられる。前記ＨＥＭＳ機器２００は、ルータ２０１とこのルータ２０１に無線通信により接続されたアダプタ２０２とを介し、前記室内機制御部２０に対し双方向に通信可能に接続されており、また分電盤２０３にも双方向に通信可能に接続されている。これにより、ＨＥＭＳ機器２００は、空調システム１の各熱交換器及び圧縮機５の使用状況や分電盤２０３の分岐回路ごとの消費電力量の情報を収集可能となっている。またＨＥＭＳ機器２００は、さらに前記ルータ２０１及び適宜のネットワーク通信網２０４を介しサーバ機器２１０に接続され、必要な情報を相互にやりとり可能となっている。なお、ＨＥＭＳ機器２００が空調システム１との間の通信により各種情報（電力消費情報など）を収集するのに代え、ＨＥＭＳ機器２００が、分電盤２０３と商用電源２０５（図示省略しているが、空調システム１各部へ商用電源２０５から電力供給がなされている）との間の電力の授受を監視することで、空調システム１の前記電力消費情報等を収集するようにしても良い。
【００４８】
＜室内機リモコン＞
ここで、前記室内機１７は、この例ではワイヤレスリモコンとして構成される室内機リモコン２１によって操作可能である。すなわち、この室内機リモコン２１の送信部（図示せず）と室内機制御部２０の受信部（図示せず）とは、赤外線等により無線通信を行い、室内機リモコン２１の送信部から室内機制御部２０の受信部への一方向通信により情報の伝達を行う。室内機リモコン２１の送信部より発信された信号を、室内機制御部２０の受信部で受けると、室内機制御部２０では、室内機リモコン２１から送られてきた情報を読み取り、指示された制御を行う。なお、室内機制御部２０は、前記室外機制御部４４との間で制御信号Ｓ１１のやり取りを行い双方向通信により情報の伝達を行うことができる。この結果、室外機制御部４４は、室内機リモコン２１から送信される制御信号Ｓ１に対応する情報や、前記ＨＥＭＳ機器２００からの情報を、室内機制御部２０を介して取得可能である。
【００４９】
前記室内機リモコン２１は、室内機１７に対して、室内に温風を供給する前記温風暖房運転を実行させる暖房スイッチ２２と、室内機１７に対して、室内に冷風を供給する冷風冷房運転を実行させる冷房スイッチ２３と、温風暖房運転または冷風冷房運転を停止させる停止スイッチ２４と、温風暖房運転または冷風冷房運転時に室内温度を設定する、すなわちエアコン設定温度Ｔｃｏｎを設定するための室温設定手段としての室内温度設定スイッチ２５と、前記エアコン設定温度Ｔｃｏｎや各種運転状態を表示する表示部２６と、室内機１７に対しタイマーによる運転を指示するためのタイマースイッチ４５と、を備えている。
【００５０】
＜床暖房リモコン＞
また、前記床暖房端末２７は、この例ではワイヤードリモコンとして前記室内の壁面に取り付けられる、床暖房リモコン３６によって操作可能である。床暖房リモコン３６は、前記室外機制御部４４との間で制御信号Ｓ２のやり取りを行い双方向通信によりの情報の伝達を行うことができる。これにより、床暖房リモコン３６は、室内機１７の作動情報（運転中か停止中かなど）を取得可能である。
【００５１】
＜床暖房リモコンの詳細＞
図２に示すように、床暖房リモコン３６は、所望の画面１００を表示する表示部３７と、床暖房端末２７の運転開始・停止を指示するための運転／停止スイッチ３８と、床暖房端末２７に対しタイマーによる運転を指示するためのタイマースイッチ３９と、床暖房端末２７の運転態様（通常モード・セーブモード等）の切替を指示する運転切替スイッチ４０と、画面表示を１つ前の画面に戻すための戻るスイッチ４１と、メニュー／決定スイッチ４２と、上下左右方向への十字キー４３と、が備えられている。また、図示を省略しているが、床暖房リモコン３６には、床暖房端末２７の動作制御や、各種の表示を行うための、ＣＰＵや記憶手段としてのメモリ等が内蔵されている。
【００５２】
表示部３７は、前記画面１００として、空調システム１全体に係わる設定を行うための全体設定画面や、室内に設けられた前記床暖房端末２７の運転開始・停止設定を含む、床暖房端末２７に係わる設定（例えば温度レベルＬｓの設定等）を行うための端末設定画面、等を適宜に切り替えて表示することができる。
【００５３】
＜室外機制御部の機能＞
前記室外機制御部４４は、各種のデータやプログラムを記憶する記憶部と、演算・制御処理を行う制御部とを備えている。室外機制御部４４の機能的構成を図３に示す。
【００５４】
図３に示すように、前記室外機制御部４４は、四方弁制御部４４Ａと、圧縮機制御部４４Ｂ（熱源制御手段に相当）と、膨張弁制御部４４Ｃと、ポンプ制御部４４Ｄと、床暖房レベル設定部４４Ｅと、二方弁制御部４４Ｆと、を機能的に備えている。
【００５５】
＜四方弁制御部＞
前記四方弁制御部４４Ａには、前記室内機制御部２０を介した、前記室内機リモコン２１からの運転指示に対応する運転情報（温風暖房運転、冷風冷房運転、連動運転等のうちいずれの運転開始及び運転停止を指示する前記制御信号Ｓ１１）と、前記床暖房リモコン３６からの運転指示（床暖房運転の運転開始及び運転停止を指示する前記制御信号Ｓ２）と、が入力される。四方弁制御部４４Ａは、それら運転情報及び運転指示に応じて、実際に空調システム１をどのような運転態様（床暖房運転、冷風冷房運転、温風暖房運転、連動運転等）で運転するかを決定し対応する運転情報を、圧縮機制御部４４Ｂ、膨張弁制御部４４Ｃ、ポンプ制御部４４Ｄ、二方弁制御部４４Ｆ、床暖房レベル設定部４４Ｅに出力するとともに、室内機制御部２０にも前記制御信号Ｓ１１として出力する。また四方弁制御部４４Ａは、上記決定された運転態様に対応する制御信号を四方弁６へ出力し、四方弁６を切り替える。
【００５６】
＜床暖房レベル設定部＞
前記床暖房レベル設定部４４Ｅには、前記室内温度センサ１９により検出された前記室内温度Ｔｒと、前記室内機制御部２０を介した、前記室内機リモコン２１により設定された前記エアコン設定温度Ｔｃｏｎと、が入力される（直接入力される場合のほか、前記の間接的な入力も含む。以下同様）。床暖房レベル設定部４４Ｅは、相関記憶部４４Ｅ１と、温度レベル決定部４４Ｅ２と、目標戻り温度決定部４４Ｅ５と、を備え、連動運転の際に、入力された前記室内温度Ｔｒ及び前記エアコン設定温度Ｔｃｏｎに応じて、前記床暖房端末２７から前記水冷媒熱交換器７の前記水側の流路７ａに流入する湯水の目標戻り温度Ｔａを決定する。
【００５７】
すなわちまず、前記相関記憶部４４Ｅ１には、図４（ａ）に示すような、室内機リモコン２１による前記エアコン設定温度Ｔｃｏｎの設定値（設定室温）の複数の温度区分と、各温度区分に対応する床暖房端末２７への湯水の温度レベルＬｓと、の相関が記憶されている。この例では、エアコン設定温度Ｔｃｏｎが２８℃以上３０℃以下の場合は温度レベルＬｓが９、エアコン設定温度Ｔｃｏｎが２６℃以上２８℃未満（図示では便宜的に「２７−２６」と記載）の場合は温度レベルＬｓが８、エアコン設定温度Ｔｃｏｎが２５℃以上２６℃未満（図示では便宜的に「２５」と記載。以下同様）の場合は温度レベルＬｓが７、エアコン設定温度Ｔｃｏｎが２４℃以上２５℃未満の場合は温度レベルＬｓが６、エアコン設定温度Ｔｃｏｎが２３℃以上２４℃未満の場合は温度レベルＬｓが５、エアコン設定温度Ｔｃｏｎが２２℃以上２３℃未満の場合は温度レベルＬｓが４、エアコン設定温度Ｔｃｏｎが２１℃以上２２℃未満の場合は温度レベルＬｓが３、エアコン設定温度Ｔｃｏｎが２０℃以上２１℃未満の場合は温度レベルＬｓが２、エアコン設定温度Ｔｃｏｎが１７℃以上２０℃未満の場合は温度レベルＬｓが１、のように予め定められている。
【００５８】
また、前記相関記憶部４４Ｅ１には、図４（ｂ）に示すような、床暖房端末２７への前記温度レベルＬｓと、前記目標戻り温度Ｔａと、の相関も記憶されている。この例では、前記温度レベルＬｓが９の場合は前記目標戻り温度Ｔａが４５℃、前記温度レベルＬｓが８の場合は前記目標戻り温度Ｔａが４３℃、前記温度レベルＬｓが７の場合は前記目標戻り温度Ｔａが４１℃、前記温度レベルＬｓが６の場合は前記目標戻り温度Ｔａが３９℃、前記温度レベルＬｓが５の場合は前記目標戻り温度Ｔａが３８℃、前記温度レベルＬｓが４の場合は前記目標戻り温度Ｔａが３６℃、前記温度レベルＬｓが３の場合は前記目標戻り温度Ｔａが３５℃、前記温度レベルＬｓが２の場合は前記目標戻り温度Ｔａが３４℃、前記温度レベルＬｓが１の場合は前記目標戻り温度Ｔａが３２℃、のように予め定められている。
【００５９】
前記温度レベル決定部４４Ｅ２は、前記のように入力されたエアコン設定温度Ｔｃｏｎに対し、図４（ａ）の相関を適用して、対応する前記温度レベルＬｓを決定する。なお、この温度レベルＬｓの決定は、例えば連動運転の開始時において行われる。決定された温度レベルＬｓに対し、前記目標戻り温度決定部４４Ｅ５が、前記図４（ｂ）に示した相関を適用して、対応する前記目標戻り温度Ｔａを決定する。こうして決定された目標戻り温度Ｔａは、前記圧縮機制御部４４Ｂへと出力される。
【００６０】
図３に戻り、前記圧縮機制御部４４Ｂには、前記室内温度センサ１９からの前記室内温度Ｔｒと、前記室内機リモコン２１で設定された前記エアコン設定温度Ｔｃｏｎと、前記入水温度センサ１２３により検出された前記入水温度Ｔ１と、前記目標戻り温度決定部４４Ｅ５で決定された目標戻り温度Ｔａと、が入力される。圧縮機制御部４４Ｂには、床暖房端末２７の床暖房能力に対応する目標回転数を決定する床暖目標回転数決定部４４Ｂ１と、室内機１７の温風暖房能力に対応する目標回転数を決定するエアコン目標回転数決定部４４Ｂ２と、が備えられている。
【００６１】
前記床暖目標回転数決定部４４Ｂ１は、前記入水温度センサ１２３からの前記入水温度Ｔ１が、前記床暖房レベル設定部４４Ｅの前記目標戻り温度決定部４４Ｅ５により入力された目標戻り温度Ｔａとなるような（言い換えればＴ１とＴａとの差が０になるような）、圧縮機５の目標回転数を決定する。この場合の目標戻り温度Ｔａが暖房制御値の一例に相当し、床暖目標回転数決定部４４Ｂ１が第１圧縮機制御手段に相当している。
【００６２】
前記エアコン目標回転数決定部４４Ｂ２は、前記室内温度Ｔｒが、前記エアコン設定温度Ｔｃｏｎとなるような（言い換えればＴｒとＴｃｏｎとの差が０になるような）、圧縮機５の目標回転数を決定する。この場合のエアコン設定温度Ｔｃｏｎが暖房制御値の他の例に相当し、エアコン目標回転数決定部４４Ｂ２が第２圧縮機制御手段に相当している。
【００６３】
圧縮機制御部４４Ｂは、前記のようにして四方弁制御部４４Ａから入力される前記運転情報や、前記エアコン設定温度Ｔｃｏｎや、前記室内温度Ｔｒに基づき、前記床暖目標回転数決定部４４Ｂ１で決定された目標回転数、及び、前記エアコン目標回転数決定部４４Ｂ２で決定された目標回転数のうちいずれか一方、例えばいずれか高いほうの回転数を、最終的な前記圧縮機５の回転数Ｎｃ（制御値）として決定し、圧縮機５へと出力する。
【００６４】
膨張弁制御部４４Ｃには、前記吐出温度センサ１２０により検出された前記冷媒吐出温度Ｔｏｕｔが入力される。膨張弁制御部４４Ｃは、前記四方弁制御部４４Ａからの前記運転情報に応じて、前記冷媒吐出温度Ｔｏｕｔが所定の一定値となるように、膨張弁８，１５の開度をフィードバック制御する（いわゆる吐出制御）。この例では、膨張弁８，１５は、互いに同一の開度となるように膨張弁制御部４４Ｃによって制御される。すなわち、前記膨張弁制御部４４Ｃは、前記冷媒吐出温度Ｔｏｕｔが低すぎる場合は膨張弁８，１５の開度を閉じる方向に制御し、冷媒吐出温度Ｔｏｕｔが高すぎる場合は膨張弁８，１５の開度を開く方向に制御する。
【００６５】
前記ポンプ制御部４４Ｄには、前記室内温度センサ１９からの前記室内温度Ｔｒと、前記室内機リモコン２１で設定された前記エアコン設定温度Ｔｃｏｎとが入力される。ポンプ制御部４４Ｄは、前記四方弁制御部４４Ａからの前記運転情報に応じて、前記循環ポンプ３４の目標回転数Ｎｐを決定し、これを用いて前記循環ポンプ３４の回転数を制御する。
【００６６】
二方弁制御部４４Ｆには、前記室内温度センサ１９からの前記室内温度Ｔｒと、前記室内機リモコン２１で設定された前記エアコン設定温度Ｔｃｏｎとが入力される。二方弁制御部４４Ｆは、前記四方弁制御部４４Ａからの前記運転情報に応じて、前記二方弁１６の開閉動作を制御する（詳細な制御内容は後述）。
【００６７】
なお、前記四方弁制御部４４Ａによる前記運転態様の決定及び運転情報の生成は、前記室内機制御部２０で行っても良い。この場合は、室内機制御部２０から、決定された運転態様に対応した前記運転情報が室外機制御部４４に入力され、その入力された運転情報に応じて四方弁制御部４４Ａ、圧縮機制御部４４Ｂ、膨張弁制御部４４Ｃ、ポンプ制御部４４Ｄ、床暖房レベル設定部４４Ｅ、二方弁制御部４４Ｆが各種制御を行う。
【００６８】
＜室内機制御部の機能＞
前記室内機制御部２０は、前記室外機制御部４４と同様、各種のデータやプログラムを記憶する記憶部と、演算・制御処理を行う制御部とを備えている。この室内機制御部２０の機能的構成を図５に示す。図５に示すように、前記室内機制御部２０は、室内ファン制御部２０Ａと、エアコン設定温度変更部２０Ｂと、を機能的に備えている。
【００６９】
室内ファン制御部２０Ａには、前記室内温度センサ１９により検出された前記室内温度Ｔｒと、前記室内機リモコン２１により設定された前記エアコン設定温度Ｔｃｏｎと、が入力される。室内ファン制御部２０Ａは、前記室内ファン１８に対し、入力された前記室内温度Ｔｒ及びエアコン設定温度Ｔｃｏｎに応じた目標回転数Ｎ１に対応した駆動制御信号を出力し、これによって室内ファン１８の回転数を制御する（詳細な制御内容は後述）。
【００７０】
エアコン設定温度変更部２０Ｂには、前記室内機リモコン２１により設定された前記エアコン設定温度Ｔｃｏｎと、前記ＨＥＭＳ機器２００からの節電指示信号及び節電解除信号（詳細は後述）と、が入力される。エアコン設定温度変更部２０Ｂは、前記節電指示信号及び前記節電解除信号に基づき、必要に応じて前記入力されたエアコン設定温度Ｔｃｏｎを変更（詳細は後述）し、その変更後のエアコン設定温度Ｔｃｏｎを前記室外機制御部４４へと出力する。
【００７１】
また、上記のほか、室内機制御部２０には、前記室外機制御部４４を介した、前記床暖房リモコン３６からの運転指示に対応する運転情報（床暖房運転の運転開始及び運転停止を指示する前記制御信号Ｓ１１）と、前記室内機リモコン２１からの運転指示（温風暖房運転、冷風冷房運転、連動運転等のうちいずれの運転開始及び運転停止を指示する前記制御信号Ｓ１）と、が入力される。また室内機制御部２０は、それらに応じて、前記室内温度Ｔｒを室外機制御部４４へ出力するとともに、前記制御信号Ｓ１に対応する運転情報を前記制御信号Ｓ１１として前記室外機制御部４４へ出力する。
【００７２】
なお、以上説明した、図１に示す構成が、本実施形態における暖房装置に相当している。
【００７３】
前記したように、本実施形態の空調システム１は、床暖房運転、温風暖房運転、床暖房運転と温風暖房運転との連動運転、冷風冷房運転、等の各種運転を選択的に実行することができる。以下、各運転の詳細を順次説明する。
【００７４】
＜床暖房運転＞
まず、図６を用いて、床暖房運転について説明する。この図６に示す床暖房運転時においては、前記四方弁制御部４４Ａにより、前記四方弁６は、前記配管部１１ａを前記配管部１１ｂに連通させると共に前記配管部１１ｃを前記配管部１１ｄに連通させる位置に切り替えられる。また前記二方弁制御部４４Ｆにより、二方弁１６が閉じ状態に切り替えられる。さらに前記膨張弁制御部４４Ｃにより前記膨張弁８が開き状態かつ前記膨張弁１５が全閉状態に制御される。
【００７５】
この結果、圧縮機５の吐出側の配管部１１ａ→配管部１１ｂ→配管部１２５ｂ→水冷媒熱交換器７の冷媒側の流路７ｂ→配管部１２５ｃ（膨張弁８）→配管部１１ｅ→空気熱交換器１０→配管部１１ｄ→圧縮機５の吸入側の配管部１１ｃの冷媒経路が形成される。これにより、凝縮器として機能する水冷媒熱交換器７において、流路７ｂを流れる冷媒からの熱で流路７ａを流れる水が加熱され、床暖房端末２７内へ高温水（加熱水）が供給され、空調対象空間の床面を加温する。
【００７６】
＜温風暖房運転＞
次に、図７を用いて、温風暖房運転について説明する。この図７に示す温風暖房運転時においては、前記四方弁制御部４４Ａにより、前記四方弁６は、前記床暖房運転と同じ側に切り替えられる。また前記二方弁制御部４４Ｆにより、二方弁１６が開き状態に切り替えられる。さらに前記膨張弁制御部４４Ｃにより前記膨張弁８が全閉状態かつ前記膨張弁１５が開き状態に制御される。
【００７７】
この結果、圧縮機５の吐出側の配管部１１ａ→配管部１１ｂ→配管部１２６ａ→室内機１７の室内熱交換器１４→配管部１２６ｂ（膨張弁１５）→配管部１１ｅ→空気熱交換器１０→配管部１１ｄ→圧縮機５の吸入側の配管部１１ｃの冷媒経路が形成される。これにより、凝縮器として機能する室内熱交換器１４において冷媒が室内空気と熱交換して熱を放出し、空調対象空間の空気を加熱する。
【００７８】
＜連動運転＞
室内機１７による温風暖房運転と床暖房端末２７による床暖房運転とを互いに連動して運転する連動運転を図８を用いて説明する。
【００７９】
なお、本実施形態では、前記床暖房リモコン３６によって前記連動運転を行うか否かが設定される。その際には、例えば前記図２に示した構成の床暖房リモコン３６において、ユーザが適宜のスイッチ又はキーを操作を行って前記表示部３７に適宜の画面を表示させることで、その画面での操作により前記連動運転の実行又は不実行を確定することができる。このように床暖房リモコン３６の操作によって連動運転の実行が確定した状態で、前記室内機リモコン２１の前記暖房スイッチ２２が押下されることで、前記連動運転が開始される。すなわち、連動運転の実行が確定した状態では、前記室内機リモコン２１により、室内機１７の運転開始操作を行うことができると共に、床暖房端末２７の運転開始操作を行うこともできる。前記連動運転の実行が設定された場合、前記連動運転の開始を実行できるのは室内機リモコン２１のみとなり、床暖房リモコン３６からは前記連動運転を開始できないようにされる。なお、前記連動運転の実行・不実行の設定を、床暖房リモコン３６ではなく、室内機リモコン２１により実行できるようにしてもよい。
【００８０】
図８において、この連動運転時においても、前記四方弁制御部４４Ａにより、前記四方弁６は、前記温風暖房運転と同じ側に切り替えられる。また、前記二方弁制御部４４Ｆにより、二方弁１６が開き状態に切り替えられる。さらに前記膨張弁制御部４４Ｃにより、前記膨張弁８及び前記膨張弁１５は開き状態（詳細には前述の吐出制御）に制御される。
【００８１】
この結果、冷媒経路は、圧縮機５の吐出側の配管部１１ａ→配管部１１ｂを経て２つに分かれ、一方は、配管部１２５ｂ→水冷媒熱交換器７の冷媒側の流路７ｂ→配管部１２５ｃ（膨張弁８）を経て配管部１１ｅに至り、他方は、配管部１２６ａ→室内熱交換器１４→配管部１２６ｂ（膨張弁１５）を経て前記配管部１１ｅへと合流する。その後の経路は、配管部１１ｅ→空気熱交換器１０→配管部１１ｄ→圧縮機５の吸入側の配管部１１ｃとなる。
【００８２】
これにより、水冷媒熱交換器７における流路７ａの水の加熱による床暖房端末２７の床暖房運転と、室内熱交換器１４からの熱の放出による室内機１７の温風暖房運転とが並行して実行される。
なお、冷風冷房運転については別途後述する。
【００８３】
＜ＨＥＭＳからの節電指示信号の入力＞
ところで、電力管理システムである前記ＨＥＭＳ機器２００は、前記したように、当該家屋の電力使用状況や消費電力量の情報を収集可能であり、当該家屋の電力マネジメントを行う。そして、例えば当該家屋の全電気器具により消費する電力が所定の制限値（電力値でも電流値でもよい）に達した場合には、前記ＨＥＭＳ機器２００から、この空調システム１に対し節電を要求する節電指示信号が出力される。
【００８４】
本実施形態の要部は、前記のようにして節電指示信号が入力されたときに空調システム１において実行される制御内容にある。以下、その詳細を、比較例を用いつつ順を追って説明する。
【００８５】
＜比較例による温度・電流変化挙動＞
まず、前記ＨＥＭＳ機器２００からの節電指示信号の入力に応じて前記ヒートポンプ装置（詳細には圧縮機５）の動作制限を行う、従来手法に相当する比較例を図９を用いて説明する。
【００８６】
この比較例では、ＨＥＭＳ節電指示信号の入力時の前記動作制限として、前記圧縮機５の回転数の上限値が設定される。このような制御により前記連動運転が行われる場合の、前記室内機１７による温風暖房運転の状態に対応する前記空調対象空間の室温（詳細には前記の室内温度Ｔｒ及びエアコン設定温度Ｔｃｏｎ）と、前記床暖房端末２７による床暖房運転の状態に対応する前記温水の戻り温度（詳細には前記の入水温度Ｔ１及び目標戻り温度Ｔａ）と、この家屋全体の全電気器具が消費する電流値と、の時間変動の一例を、それぞれ、図９（ａ）、図９（ｂ）、及び図９（ｃ）に示す。
【００８７】
図９（ａ）〜（ｃ）において、時間ｔ０において連動運転が開始される。このときの前記エアコン設定温度Ｔｃｏｎは２５［℃］に設定され、前記室内機１７による温風暖房運転によって前記室内温度Ｔｒは急上昇し、時間ｔ１で前記２５［℃］に達する（図９（ａ）参照）。またこのとき、前記Ｔｃｏｎ＝２５［℃］の設定に対応して前記目標戻り温度Ｔａは４１［℃］に設定されており、前記床暖房端末２７による床暖房運転によって前記入水温度Ｔ１も急上昇し、時間ｔ１で前記４１［℃］に達している（図９（ｂ）参照）。
一方、上記のような運転によってこの家屋の前記全電気器具の消費する実電流値Ａｍは時間ｔ０の４０［Ａ］から緩やかに上昇している。そして、この例では、時間ｔ１の直前あたりから、室内機１７及び床暖房端末２７以外の電気器具が使用されることで実電流値Ａｍが急激に増大した結果、時間ｔ１において、実電流値ＡｍがＨＥＭＳ機器２００による節電制限電流値（この例では４５［Ａ］）に到達する（図９（ｃ）参照）。
【００８８】
この結果、ＨＥＭＳ機器２００から前記節電指示信号が送信され（節電設定フラグＦｅ＝１となる）、空調システム１が受信すると圧縮機５の回転数上限値が設定される。これにより、圧縮機５の回転数が強制的に一気に低下するため、前記室内機１７及び前記床暖房端末２７の暖房能力も一気に低下し、前記室内温度Ｔｒは時間ｔ２で約２０［℃］まで低下し（図９（ａ）参照）、前記入水温度Ｔ１は時間ｔ２で約３４．５［℃］まで低下する（図９（ｂ）参照）。このような前記室内機１７及び前記床暖房端末２７の挙動によってそれらの消費電力が低下するため、前記実電流値Ａｍは急激に減少し、上記時間ｔ２において、実電流値ＡｍがＨＥＭＳ機器２００による上記節電制限を解除するための制限解除電流値（この例では４０［Ａ］）まで低下する（図９（ｃ）参照）。
【００８９】
この結果、ＨＥＭＳ機器２００から節電解除信号が送信され（節電解除フラグＦｃ＝１となる）、空調システム１が受信すると、前記のようにして設定されていた前記圧縮機５の回転数上限値が取り消される。これにより、圧縮機５の回転数が再び上昇するため、前記室内機１７及び前記床暖房端末２７の暖房能力も再び急上昇し、前記室内温度Ｔｒは時間ｔ３で再度約２５［℃］まで上昇し（図９（ａ）参照）、前記入水温度Ｔ１は時間ｔ３で再度４１［℃］まで上昇する（図９（ｂ）参照）。この前記室内機１７及び前記床暖房端末２７の挙動によってそれらの消費電力が再上昇するため、前記実電流値Ａｍが再度増加し、上記時間ｔ３において、実電流値Ａｍが再度前記節電制限電流値（４５［Ａ］）に到達する（図９（ｃ）参照）。
【００９０】
この結果、前記同様、ＨＥＭＳ機器２００からの前記節電指示信号により圧縮機５の回転数が一気に低下し、時間ｔ４で前記室内温度Ｔｒが約２０［℃］、前記入水温度Ｔ１が約３４．５［℃］まで低下する（図９（ａ）及び図９（ｂ）参照）。そして時間ｔ４で実電流値Ａｍが前記制限解除電流値（４０［Ａ］）まで低下することで再び前記節電解除信号が受信されて前記圧縮機５の回転数上限値が取り消されて圧縮機５の回転数が再上昇し、前記と同様に前記室内温度Ｔｒ及び前記入水温度Ｔ１が再上昇する。
【００９１】
なお、この例では、前記時間ｔ４以降は、前記室内機１７及び床暖房端末２７以外の電気器具の使用がなくなることで、前記のように圧縮機５の回転数が再上昇し前記室内温度Ｔｒ及び前記入水温度Ｔ１が上昇しても、実電流値Ａｍは前記節電制限電流値（４５［Ａ］）以下に収まっている。
【００９２】
このように、この比較例の手法によれば、ＨＥＭＳ機器２００から節電制限指示→圧縮機５の回転数強制低下で消費電力低減→ＨＥＭＳ機器２００から制限解除→圧縮機５がフル回転で消費電力増大→ＨＥＭＳ機器２００から再び節電制限指示→再び圧縮機５の回転数が強制低下→・・のような繰り返しが行われる。この結果、前記ヒートポンプ装置全体の不安定動作が生じ、さらにこれによって前記室内機１７及び前記床暖房端末２７により実現される暖房温度が乱高下（時間ｔ１〜ｔ６においてＴｒは５［℃］の幅で急激に上下動しＴ１は６．５［℃］の幅で急激に上下動）して不快感をもたらす。
【００９３】
＜実施形態による温度・電流変化挙動＞
本実施形態では、前記比較例の手法における弊害を解消するために、前記ＨＥＭＳ機器２００からの前記節電指示信号が入力されたとき、その入力の累積受信回数（何回目の受信であるか。この例におけるカウント累積情報に相当）に応じて、前記暖房制御値としてのエアコン設定温度Ｔｃｏｎ及び目標戻り温度Ｔａを可変に制御する。以下、その詳細を、前記図９に対応する図１０により説明する。
【００９４】
本実施形態では、前記エアコン設定温度Ｔｃｏｎは、前記節電指示信号の入力が１回目であればその時点の設定からさらに１［℃］下げられ、２回目であればその時点の設定からさらに２［℃］下げられ、３回目であればその時点の設定からさらに３［℃］下げられる。すなわちこの例では、入力回数が１回増える毎に、その下げられる温度幅（暖房制御値の変化割合に相当）が変更される。
また、前記目標戻り温度Ｔａは、前記節電指示信号の入力が１回目であればその時点の設定からさらに２［℃］下げられ、２回目であればその時点の設定からさらに３［℃］下げられ、３回目であればその時点の設定からさらに４［℃］下げられる。すなわち、前記エアコン設定温度Ｔｃｏｎと同様、入力回数が１回増える毎に、その下げられる温度幅（暖房制御値の変化割合に相当）が変更される。
【００９５】
これらの制御により前記連動運転が行われる場合の、前記室内温度Ｔｒ及びエアコン設定温度Ｔｃｏｎと、前記入水温度Ｔ１及び目標戻り温度Ｔａと、前記実電流値Ａｍと、の時間変動の一例を、それぞれ、図１０（ａ）、図１０（ｂ）、及び図１０（ｃ）に示す。
【００９６】
図１０（ａ）〜（ｃ）において、前記図９と同様、前記エアコン設定温度Ｔｃｏｎが２５［℃］、前記目標戻り温度Ｔａが４１［℃］に設定された状態で、時間ｔ１０にて連動運転が開始される。図９と同様、前記温風暖房運転により前記室内温度Ｔｒが急上昇し時間ｔ１１で前記２５［℃］に達する（図１０（ａ）参照）とともに、前記床暖房運転によって前記入水温度Ｔ１も急上昇し時間ｔ１１で前記４１［℃］に達する（図１０（ｂ）参照）。
上記の運転によって時間ｔ１０の４０［Ａ］から緩やかに上昇した前記実電流値Ａｍは、前記図９と同様、室内機１７及び床暖房端末２７以外の電気器具の使用で急激に増大し、時間ｔ１１において、前記節電制限電流値（４５［Ａ］）に到達する（図１０（ｃ）参照）。
【００９７】
この結果、前記図９と同様、ＨＥＭＳ機器２００から前記節電指示信号が送信される（節電設定フラグＦｅ＝１となる）。本実施形態では、空調システム１により前記節電指示信号がまず最初に受信される（＝受信１回目）と、前記したようにエアコン設定温度Ｔｃｏｎは１［℃］下げられて２４［℃］に設定変更され、目標戻り温度Ｔａは２［℃］下げられて３９［℃］に設定変更される。これにより、前記室内機１７及び前記床暖房端末２７の暖房出力が下がり、前記室内温度Ｔｒはゆっくりと下がって時間ｔ１３で約２４［℃］まで低下し（図１０（ａ）参照）、前記入水温度Ｔ１もゆっくりと下がって時間ｔ１３で約３９．５［℃］まで低下する（図１０（ｂ）参照）。この前記室内機１７及び前記床暖房端末２７の挙動にてそれらの消費電力が低下するため、前記実電流値Ａｍもやや下がって時間ｔ１３より前の時間ｔ１２において前記節電制限電流値（４５［Ａ］）未満になる。しかしながら前記比較例の圧縮機５の回転数上限値設定と異なり急激に消費電力が低下するわけではなく、室内機１７及び床暖房端末２７以外の電気器具の使用もあって、前記実電流値Ａｍは、約４３［Ａ］で底を打った後に再びゆっくりと増加し、上記時間ｔ１３において再度前記節電制限電流値（４５［Ａ］）に到達する（図１０（ｃ）参照）。
【００９８】
この結果、前記同様、ＨＥＭＳ機器２００からの前記節電指示信号が再度受信される。節電指示信号の受信は２回目となることから、前記したようにエアコン設定温度Ｔｃｏｎはさらに２［℃］下げられて２２［℃］に設定変更され、目標戻り温度Ｔａはさらに３［℃］下げられて３６［℃］に設定変更される。これにより、前記室内機１７及び前記床暖房端末２７の暖房出力がさらに下がり、前記室内温度Ｔｒは再度ゆっくりと下がって時間ｔ１５で約２２［℃］まで低下し（図１０（ａ）参照）、前記入水温度Ｔ１も再度ゆっくりと下がって時間ｔ１５で約３６［℃］まで低下する（図１０（ｂ）参照）。この前記室内機１７及び前記床暖房端末２７の挙動により、前記実電流値Ａｍは、再び下がって時間ｔ１５より前の時間ｔ１４において前記節電制限電流値（４５［Ａ］）未満になった後、さらにゆっくりと下がって時間ｔ１６において前記制限解除電流値（４０［Ａ］）まで低下する（図１０（ｃ）参照）。なお、時間ｔ１４から時間ｔ１６における実電流値Ａｍの減少は、室内機１７及び床暖房端末２７以外の電気器具の使用が減ることによる影響が含まれていてもよい。
【００９９】
この結果、前記図９と同様、ＨＥＭＳ機器２００から節電解除信号が送信され（節電解除フラグＦｃ＝１となる）、前記のようにして設定されていた（この時点の）前記エアコン設定温度Ｔｃｏｎ及び前記目標戻り温度Ｔａの変更設定がすべてクリアされ、もとの設定に戻る。すなわち、前記エアコン設定温度Ｔｃｏｎは前記２５［℃］、前記目標戻り温度Ｔａは前記４１［℃］に戻される。これにより、前記室内機１７及び前記床暖房端末２７の暖房出力が上がり、前記室内温度Ｔｒは再度上昇して時間ｔ１８で約２５［℃］に到達してほぼ安定し（図１０（ａ）参照）、前記入水温度Ｔ１も再度上昇して時間ｔ１７で約４１［℃］に到達してほぼ安定する（図１０（ｂ）参照）。この前記室内機１７及び前記床暖房端末２７の挙動により、前記実電流値Ａｍは、再び上昇して時間ｔ１８より前の時間ｔ１７において前記制限解除電流値（４０［Ａ］）を超えた後、さらにゆっくりと上がって前記時間ｔ１８過ぎにおいて前記節電制限電流値（４５［Ａ］）と前記制限解除電流値（４０［Ａ］）との間の約４３［Ａ］で安定する。
【０１００】
図９と図１０とを比べると分かるように、本実施形態の手法では、前記室内温度Ｔｒや入水温度Ｔ１の乱高下が抑制されており、これによって温風暖房や床暖房における不安定動作を抑制して暖房快適性の低下が最小限に抑制されている。
【０１０１】
＜制御手順＞
前記の手法を実現するために、前記連動運転時（又は温風暖房運転又は床暖房運転時も適用可。詳細は後述）において、前記室内機制御部２０の前記エアコン設定温度変更部２０Ｂ及び前記室外機制御部４４の前記床暖房レベル設定部４４Ｅによって実行される制御手順を、図１１のフローチャートにより説明する。
【０１０２】
図１１において、前記のようにして連動運転が開始されると、まずステップＳ１０において、前記ＨＥＭＳ機器２００からの節電指示信号が受信されたか否かが判定される。節電指示信号が受信されるまでは判定が満たされず（Ｓ１０：ＮＯ）ループ待機し、受信された判定が満たされ（Ｓ１０：ＹＥＳ）、ステップＳ２０へ移る。なお、このときの前記室内機制御部２０の前記エアコン設定温度変更部２０Ｂ及び前記室外機制御部４４の前記床暖房レベル設定部４４Ｅの機能が、各請求項記載の受信手段として機能する。
【０１０３】
ステップＳ２０では、ステップＳ１０で受信された前記節電指示信号が、１回目の受信であったか否かが判定される。１回目であれば判定が満たされ（Ｓ２０：ＹＥＳ）、ステップＳ２５へ移る。
【０１０４】
ステップＳ２５では、前記室内機１７の温風暖房に係わる前記エアコン設定温度Ｔｃｏｎの設定を（この時点の設定値よりも）１［℃］低下させる。なお、この処理により、前記図４（ａ）及び図４（ｂ）を用いて説明した手法により決定される、前記床暖房端末２７の床暖房に係わる前記目標戻り温度Ｔａの設定は（この時点の設定値よりも）２［℃］低下する。
なお、前記連動運転ではなく前記温風暖房運転の単独運転であった場合には前記エアコン設定温度Ｔｃｏｎの低下処理のみが行われ、前記床暖房運転の単独運転であった場合には前記目標戻り温度Ｔａの低下処理のみが行われる（以下、ステップＳ４０、ステップＳ４５、及びステップＳ６０においても同様）。
また、前記のようにエアコン設定温度Ｔｃｏｎの値から目標戻り温度Ｔａの値が決まるのではなく、別の適宜の手法で目標戻り温度Ｔａが定められる場合には、このステップＳ２５において、前記目標戻り温度Ｔａの設定をこの時点の設定値よりも２［℃］低下させるようにしてもよい（以下、ステップＳ４０、ステップＳ４５、及びステップＳ６０においても同様）。
このステップＳ２５の終了後、後述のステップＳ５０に移行する。
【０１０５】
一方、前記ステップＳ２０において、節電指示信号の受信が１回目でなかった場合には判定が満たされず（Ｓ２０：ＮＯ）、ステップＳ３０に移る。
【０１０６】
ステップＳ３０では、前記ステップＳ１０で受信された前記節電指示信号が、２回目の受信であったか否かが判定される。２回目であれば判定が満たされ（Ｓ３０：ＹＥＳ）、ステップＳ３５へ移る。
【０１０７】
ステップＳ３５では、前記節電指示信号の２回目の受信における、その前の１回目の受信からの経過時間が、所定時間（例えば数十分等）より大きいか否かが判定される。所定時間より大きければ判定が満たされ（Ｓ３５：ＹＥＳ）、ステップＳ４０に移行する。なお、このときの判定対象の、複数回の節電指示信号の受信の間の経過時間すなわち受信間隔を判定することは、言い替えれば節電指示信号の受信頻度を判定することになり、当該受信頻度はこの場合のカウント累積情報の一例に相当している。
【０１０８】
ステップＳ４０では、前記エアコン設定温度Ｔｃｏｎの設定を（この時点の設定値よりも）２［℃］低下させる。またこれにより、前記したように、結果として、前記目標戻り温度Ｔａの設定は（この時点の設定値よりも）３［℃］低下する。
なお、前記図１０に示した挙動において時間ｔ１３での挙動がこのステップＳ４０での処理に該当しており、すなわち時間ｔ１１から時間ｔ１３までの経過時間は前記所定時間よりも大きくなっていたものである。
ステップＳ４０の後は、後述のステップＳ５０へ移る。
【０１０９】
一方、前記ステップＳ３５において、２回目の受信における前記経過時間が前記所定時間以下の場合は判定が満たされず（Ｓ３５：ＮＯ）、ステップＳ４５に移行する。ステップＳ４５では、前記エアコン設定温度Ｔｃｏｎの設定を（この時点の設定値よりも）３［℃］低下させる。またこれにより、前記したように、結果として、前記目標戻り温度Ｔａの設定は（この時点の設定値よりも）４［℃］低下する。その後、ステップＳ５０に移行する。
【０１１０】
なお、上記では、前記ステップＳ３０での判定満たされない場合すなわち節電指示信号の受信が３回目以上である場合は、常にステップＳ４５での処理が行われるが、これに限られない。例えば受信３回目の場合、受信４回目の場合、・・等、受信回数に応じて細かくエアコン設定温度Ｔｃｏｎの低下割合を定めても良い。またその場合に、前記ステップＳ３５のように、直前の受信からの間隔（すなわち受信頻度）に応じて処理を変えても良い。
さらに、前記ステップＳ２５、ステップＳ４０、ステップＳ４５のように、受信回数に応じてエアコン設定温度Ｔｃｏｎの低下割合を変えるのではなく、一部又は全部の受信回数において互いに同一の温度低下としてもよい。
【０１１１】
ステップＳ５０では、前記ＨＥＭＳ機器２００から節電解除信号が受信されたか否かが判定される。節電解除信号が受信されなければ判定が満たされず（Ｓ５０：ＮＯ）ステップＳ５５へ移る。
【０１１２】
ステップＳ５５では、前記ステップＳ１０と同様、前記ＨＥＭＳ機器２００から節電指示信号が受信されたか否かが判定される。節電指示信号が受信されなければ判定が満たされず（Ｓ５５：ＮＯ）ステップＳ５０に戻って同様の手順が繰り返され、節電指示信号が受信されたら判定が満たされ（Ｓ５５：ＹＥＳ）、ステップＳ２０に戻って同様の手順が繰り返される。
【０１１３】
一方、前記ステップＳ５０において、節電解除信号が受信されたら判定が満たされ（Ｓ５０：ＹＥＳ）ステップＳ６０へ移る。
【０１１４】
ステップＳ６０では、この時点でカウントしている節電指示信号の受信回数がすべてゼロクリアされるとともに、この時点での前記エアコン設定温度Ｔｃｏｎの設定がクリアされ、もともとの設定値（例えば前記図１０の例では２５［℃］）に戻される。なお、この処理により、前記図４（ａ）及び図４（ｂ）を用いて説明した手法により決定される前記目標戻り温度Ｔａの設定も、もともとの設定値（例えば前記図１０の例では４１［℃］）に戻される。その後、前記ステップＳ１０に戻って同様の手順が繰り返される。
【０１１５】
なお、図１１に示す各手順を実行する、前記エアコン設定温度変更部２０Ｂ及び前記床暖房レベル設定部４４Ｅが、各請求項記載の暖房制御値設定手段として機能する。
【０１１６】
＜実施形態の効果＞
以上説明したように、本実施形態においては、ＨＥＭＳ機器２００から受信される前記節電指示信号に応じ、その受信されるときのカウント累積情報（前記の例では受信回数又は受信頻度）に応じて、暖房制御値（前記の例ではエアコン設定温度Ｔｃｏｎ及び目標戻り温度Ｔａ）が可変に設定される。これにより、前記節電指示信号の受信回数や受信頻度に応じて室外機４の能力を適宜に抑制し、その消費電力を低減することができる。
この結果、前記節電指示信号の入力に応じ前記ヒートポンプ装置の動作を制限する比較例（図９参照）のように、ＨＥＭＳ機器２００から節電制限指示→圧縮機５の回転数強制低下で消費電力低減→ＨＥＭＳ機器２００から制限解除→圧縮機５がフル回転で消費電力増大→ＨＥＭＳ機器２００から再び節電制限指示→再び圧縮機５の回転数が強制低下→・・のような繰り返しによるヒートポンプ装置全体の不安定動作が生じるのを回避し、安定的に消費電力の低減を図ることができる。また前記不安定動作により不快感がもたらされるのを防止し、暖房時の快適性の低下を最小限にとどめることができる。
【０１１７】
また、本実施形態では特に、暖房制御値（前記の例ではエアコン設定温度Ｔｃｏｎ及び目標戻り温度Ｔａ）の変化割合が、カウント累積情報（前記の例では受信回数又は受信頻度）の累積度合いに応じて変化する（ステップＳ２５、ステップＳ４０、ステップＳ４５参照）。これにより、例えば前記ステップＳ２５で節電指示信号の１回目の受信でエアコン設定温度Ｔｃｏｎを１［℃］変化させた後、２回目の受信では前記ステップＳ４０でエアコン設定温度Ｔｃｏｎをさらに大きく２［℃］変化させる等、きめ細かい制御を実現することができる。この結果、室内機１７や床暖房端末２７の運転に係る消費電力を確実に低減することができる。
【０１１８】
また、本実施形態では特に、前記カウント累積情報として、前記ＨＥＭＳ機器２００からの前記節電指示信号の累積受信回数が含まれる。このように、前記節電指示信号の受信回数に応じて前記室内機１７や床暖房端末２７における放熱能力を抑制（室外機４の能力を抑制）して、室内機１７や床暖房端末２７の運転に係る消費電力を低減することができる。
【０１１９】
また、本実施形態では特に、前記カウント累積情報として、前記ＨＥＭＳ機器２００からの前記節電指示信号の受信頻度が含まれる。このように、さらに前記節電指示信号の受信頻度に応じて前記放熱能力を抑制（室外機４の能力を抑制）することで、室内機１７や床暖房端末２７の運転に係る消費電力を低減することができる。
【０１２０】
また、本実施形態では特に、床暖房端末２７へ温水を供給する加熱循環回路３３の入水温度Ｔ１が前記目標戻り温度Ｔａとなるように圧縮機５が制御される構成において、前記目標戻り温度Ｔａが、節電指示信号のカウント累積情報（前記の例では受信回数又は受信頻度）に応じて可変に設定される。これにより、図１１を用いて前述したように前記節電指示信号の受信回数や受信頻度等に応じて目標戻り温度Ｔａを低くする、より詳細には、前記節電指示信号の受信回数が多くなるほど、目標戻り温度Ｔａの下げ幅を大きくすることで床暖房能力を抑制し、床暖房端末２７の運転に係る消費電力を低減することができる。
【０１２１】
また、本実施形態では特に、室内温度Ｔｒがエアコン設定温度Ｔｃｏｎとなるように圧縮機５が制御される構成において、前記エアコン設定温度Ｔｃｏｎが、節電指示信号のカウント累積情報（前記の例では受信回数又は受信頻度）に応じて可変に設定される。これにより、図１１を用いて前述したように例えば前記節電指示信号の受信回数や受信頻度等に応じてエアコン設定温度Ｔｃｏｎを低くすることで室内暖房能力を抑制し、室内機１７の運転に係る消費電力を低減することができる。
【０１２２】
＜変形例＞
なお、本発明は上記実施形態に限定されるものではなく、発明の要旨を変更しない範囲で種々の変更が可能である。以下、そのような変形例を説明する。
【０１２３】
（１）冷風冷房運転への適用
前記した、ＨＥＭＳ機器２００からの節電指示信号の入力時の制御態様を、冷風冷房運転時に適用することも可能である。そのような変形例を以下説明する。なお、上記実施形態と同等の部分には同一の符号を付し、説明を省略又は簡略化する。
【０１２４】
＜冷風冷房運転＞
図１２を用いて、冷風冷房運転について説明する。この図１２に示す冷風冷房運転時においては、前記四方弁制御部４４Ａにより、前記四方弁６は、前記配管部１１ａを前記配管部１１ｄに連通させると共に前記配管部１１ｃを前記配管部１１ｂに連通させる位置に切り替えられる。また前記二方弁制御部４４Ｆにより、二方弁１６が開き状態に切り替えられる。さらに前記膨張弁制御部４４Ｃにより前記膨張弁８が全閉状態かつ前記膨張弁１５が開き状態に制御される。
【０１２５】
この結果、圧縮機５の吐出側の配管部１１ａ→配管部１１ｄ→空気熱交換器１０→配管部１１ｅ→配管部１２６ｂ（膨張弁１５）→室内機１７の室内熱交換器１４→配管部１２６ａ→配管部１１ｂ→圧縮機５の吸入側の配管部１１ｃの冷媒経路が形成される。これにより、蒸発器として機能する室内熱交換器１４において冷媒が室内空気と熱交換して熱を吸収し、空調対象空間の空気を冷却する。
【０１２６】
なお、本変形例においては、前記図１に示す構成が冷房装置に相当している。
【０１２７】
また、本変形例においても、前記実施形態と同様、前記図３に示した室外機制御部４４の構成において、前記圧縮機制御部４４Ｂの前記エアコン目標回転数決定部４４Ｂ２が、前記室内温度Ｔｒが、前記エアコン設定温度Ｔｃｏｎとなるような（言い換えればＴｒとＴｃｏｎとの差が０になるような）、圧縮機５の目標回転数を決定する。この場合のエアコン設定温度Ｔｃｏｎが冷房制御値に相当し、エアコン目標回転数決定部４４Ｂ２が第４圧縮機制御手段に相当している。
【０１２８】
＜冷風冷房運転時の温度・電流変化挙動＞
本変形例においては、前記実施形態と同様、前記ＨＥＭＳ機器２００からの前記節電指示信号が入力されたとき、その入力の累積受信回数（何回目の受信であるか。この例におけるカウント累積情報に相当）に応じて、冷房制御値としてのエアコン設定温度Ｔｃｏｎを可変に制御する。以下、その詳細を、前記図１０に対応する図１３により説明する。
【０１２９】
本変形例では、前記エアコン設定温度Ｔｃｏｎは、前記節電指示信号の入力が１回目であればその時点の設定からさらに１［℃］上げられ、２回目であればその時点の設定からさらに２［℃］上げられ、３回目であればその時点の設定からさらに３［℃］上げられる。すなわちこの例では、入力回数が１回増える毎に、その上げられる温度幅（冷房制御値の変化割合に相当）が変更される。
【０１３０】
この制御により前記冷風冷房運転が行われる場合の、前記室内温度Ｔｒ及びエアコン設定温度Ｔｃｏｎと、前記実電流値Ａｍと、の時間変動の一例を、それぞれ、図１３（ａ）及び図１３（ｂ）に示す。
【０１３１】
図１３（ａ）（ｂ）において、この例では前記エアコン設定温度Ｔｃｏｎが２０［℃］に設定された状態で、時間ｔ２０にて冷風冷房運転が開始される。前記室内機１７による冷風冷房暖房運転によって前記室内温度Ｔｒは急降下し時間ｔ２１で前記２０［℃］に達する（図１３（ａ）参照）。
一方、上記のような運転によってこの家屋の前記全電気器具の消費する実電流値Ａｍは時間２０の４０［Ａ］から緩やかに上昇している。そして、この例では、時間ｔ２１の直前あたりから、室内機１７以外の電気器具が使用されることで実電流値Ａｍが急激に増大した結果、時間ｔ２１において、実電流値ＡｍがＨＥＭＳ機器２００による節電制限電流値（この例では４５［Ａ］）に到達する（図１３（ｂ）参照）。
【０１３２】
この結果、ＨＥＭＳ機器２００から前記節電指示信号が送信される（節電設定フラグＦｅ＝１となる）。本変形例では、空調システム１により前記節電指示信号がまず最初に受信される（＝受信１回目）と、前記したようにエアコン設定温度Ｔｃｏｎは１［℃］上げられて２１［℃］に設定変更される。これにより、前記室内機１７の冷房出力が下がり、前記室内温度Ｔｒはゆっくりと上がって時間ｔ２３で約２１［℃］まで上昇する（図１３（ａ）参照）。この前記室内機１７の挙動にてその消費電力が低下するため、前記実電流値Ａｍもやや下がって時間ｔ２３より前の時間ｔ２２において前記節電制限電流値（４５［Ａ］）未満になる。しかしながら急激に消費電力が低下するわけではなく、室内機１７以外の電気器具の使用もあって、前記実電流値Ａｍは、約４３［Ａ］で底を打った後に再びゆっくりと増加し、上記時間ｔ２３において再度前記節電制限電流値（４５［Ａ］）に到達する（図１３（ｂ）参照）。
【０１３３】
この結果、前記同様、ＨＥＭＳ機器２００からの前記節電指示信号が再度受信される。節電指示信号の受信は２回目となることから、前記したようにエアコン設定温度Ｔｃｏｎはさらに２［℃］上げられて２３［℃］に設定変更される。これにより、前記室内機１７の冷房出力がさらに下がり、前記室内温度Ｔｒは再度ゆっくりと上がって時間ｔ２５で約２３［℃］まで上昇する（図１３（ａ）参照）。この前記室内機１７の挙動により、前記実電流値Ａｍは、再び下がって時間ｔ２５より前の時間ｔ２４において前記節電制限電流値（４５［Ａ］）未満になった後、さらにゆっくりと下がって時間ｔ２６において前記制限解除電流値（４０［Ａ］）まで低下する（図１３（ｂ）参照）。なお、時間ｔ２４から時間ｔ２６における実電流値Ａｍの減少は、室内機１７以外の電気器具の使用が減ることによる影響が含まれていてもよい。
【０１３４】
この結果、ＨＥＭＳ機器２００から節電解除信号が送信され（節電解除フラグＦｃ＝１となる）、空調システム１が受信すると、前記のようにして設定されていた（この時点の）前記エアコン設定温度Ｔｃｏｎの変更設定がすべてクリアされ、もとの設定に戻る。すなわち、前記エアコン設定温度Ｔｃｏｎは前記２０［℃］に戻される。これにより、前記室内機１７の冷房出力が上がり、前記室内温度Ｔｒは再度低下して時間ｔ２８で約２０．５［℃］に到達してほぼ安定する（図１３（ａ）参照）。この前記室内機１７の挙動により、前記実電流値Ａｍは、再び上昇して時間ｔ２８より前の時間ｔ２７において前記制限解除電流値（４０［Ａ］）を超えた後、さらにゆっくりと上がって前記時間ｔ２９において前記節電制限電流値（４５［Ａ］）と前記制限解除電流値（４０［Ａ］）との間の約４３［Ａ］で安定する。
【０１３５】
図１３において、前記図１０と同様、冷風冷房運転を行う本変形例においても、前記室内温度Ｔｒの乱高下が抑制されており、これによって冷風冷房における不安定動作を抑制して冷房快適性の低下が最小限に抑制されている。
【０１３６】
＜制御手順＞
前記の手法を実現するために、前記冷風冷房運転時において、前記室内機制御部２０の前記エアコン設定温度変更部２０Ｂ等によって実行される制御手順を、図１４のフローチャートにより説明する。
【０１３７】
図１４において、このフローチャートでは、前記図１１のフローチャートにおけるステップＳ２５、ステップＳ４０、ステップＳ４５に代えて、ステップＳ２５′、ステップＳ４０′、ステップＳ４５′が設けられている点が異なる。すなわち、ステップＳ２５′では、前記室内機１７の冷風冷房に係わる前記エアコン設定温度Ｔｃｏｎの設定を（この時点の設定値よりも）１［℃］上昇させる。ステップＳ４０′では、前記エアコン設定温度Ｔｃｏｎの設定を（この時点の設定値よりも）２［℃］上昇させる。ステップＳ４５′では、前記エアコン設定温度Ｔｃｏｎの設定を（この時点の設定値よりも）３［℃］上昇させる。
上記以外の処理内容は、前記図１１のフローと同様であり、説明を省略する。
【０１３８】
なお、図１４に示す各手順を実行する、前記エアコン設定温度変更部２０Ｂが、各請求項記載の冷房制御値設定手段として機能する。
【０１３９】
＜変形例の効果＞
以上説明したように、本変形例においては、ＨＥＭＳ機器２００から受信される前記節電指示信号に応じ、その受信されるときのカウント累積情報（前記の例では受信回数又は受信頻度）に応じて、冷房制御値（前記の例ではエアコン設定温度Ｔｃｏｎ）が可変に設定される。これにより、前記節電指示信号の受信回数や受信頻度に応じて室外機４の能力を適宜に抑制し、その消費電力を低減することができる。
この結果、前記節電指示信号の入力に応じ前記ヒートポンプ装置の動作を制限する比較例（図９参照）のように、ＨＥＭＳ機器２００から節電制限指示→圧縮機５の回転数強制低下で消費電力低減→ＨＥＭＳ機器２００から制限解除→圧縮機５がフル回転で消費電力増大→ＨＥＭＳ機器２００から再び節電制限指示→再び圧縮機５の回転数が強制低下→・・のような繰り返しによるヒートポンプ装置全体の不安定動作が生じるのを回避し、安定的に消費電力の低減を図ることができる。また前記不安定動作により不快感がもたらされるのを防止し、冷房時の快適性の低下を最小限にとどめることができる。
【０１４０】
また、本変形例では特に、冷房制御値（前記の例ではエアコン設定温度Ｔｃｏｎ）の変化割合が、カウント累積情報（前記の例では受信回数又は受信頻度）の累積度合いに応じて変化する（ステップＳ２５′、ステップＳ４０′、ステップＳ４５′参照）。これにより、例えば前記ステップＳ２５′で節電指示信号の１回目の受信でエアコン設定温度Ｔｃｏｎを１［℃］変化させた後、２回目の受信では前記ステップＳ４０でエアコン設定温度Ｔｃｏｎをさらに大きく２［℃］変化させる等、きめ細かい制御を実現することができる。この結果、室内機１７の運転に係る消費電力を確実に低減することができる。
【０１４１】
また、本変形例では特に、前記カウント累積情報として、前記ＨＥＭＳ機器２００からの前記節電指示信号の累積受信回数が含まれる。このように、前記節電指示信号の受信回数に応じて前記室内機１７における吸熱能力を抑制（室外機４の能力を抑制）して、室内機１７の運転に係る消費電力を低減することができる。
【０１４２】
また、本変形例では特に、前記カウント累積情報として、前記ＨＥＭＳ機器２００からの前記節電指示信号の受信頻度が含まれる（図１４のステップＳ３５等参照）。このように、さらに前記節電指示信号の受信頻度に応じて前記吸熱能力を抑制（室外機４の能力を抑制）することで、室内機１７の運転に係る消費電力を低減することができる。
【０１４３】
また、本変形例では特に、室内温度Ｔｒがエアコン設定温度Ｔｃｏｎとなるように圧縮機５が制御される構成において、前記エアコン設定温度Ｔｃｏｎが、節電指示信号のカウント累積情報（前記の例では受信回数又は受信頻度）に応じて可変に設定される。これにより、図１４を用いて前述したように例えば前記節電指示信号の受信回数や受信頻度等に応じてエアコン設定温度Ｔｃｏｎを高くすることで室内冷房能力を抑制し、室内機１７の運転に係る消費電力を低減することができる。
【０１４４】
（２）その他
なお、以上においては、前記水冷媒熱交換器７の入口側（流入側）の前記戻り管２９（詳細には個別戻り管２９ｂ）に前記入水温度センサ１２３を設けて、検出した温水の前記入水温度Ｔ１（戻り温度）に応じて、前記圧縮機５の回転数を制御する、いわゆる戻り温度制御を行ったが、これに限られない。すなわち、前記水冷媒熱交換器７の出口側（流出側）の前記往き管２８に温度センサを設けて、検出した温水の往き温度に応じて、その往き温度が所定の目標往き温度となるように前記圧縮機５の回転数を制御する、いわゆる往き温度制御を行ってもよい。この場合、当該目標往き温度が前記暖房制御値の例となる。
【０１４５】
また、上記においては、暖房端末として床暖房端末２７及び室内機１７を例に取り、冷房端末として室内機１７を例にとって説明したが、これに限られない。すなわち、暖房端末として、冷温水パネル、ファンコイルユニット、暖房パネル、ラジエータ、コンベクター等の放熱機能を持つ他の端末を用いたり、冷房端末として、冷温水パネル、ファンコイルユニット等の吸熱機能を持つ他の端末を用いても良い。
【０１４６】
これら冷温水パネルやファンコイルユニットを冷房端末として用いる場合、前記図１２の床暖房端末２７に代えてそれら冷温水パネルやファンコイルユニットが設けられることとなる。そしてこの場合、圧縮機５の吐出側の配管部１１ａ→配管部１１ｄ→空気熱交換器１０→配管部１１ｅ→配管部１２５ｃ（膨張弁８）→水冷媒熱交換器７の冷媒側の流路７ｂ→配管部１２５ｂ→配管部１１ｂ→圧縮機５の吸入側の配管部１１ｃの冷媒経路が形成される。これにより、蒸発器として機能する水冷媒熱交換器７において、流路７ｂを流れる冷媒により流路７ａを流れる水からの吸熱が行われ、冷温水パネルやファンコイルユニット内へ低温の冷水（不凍液等を含む水以外の循環液であってもよい。以下同様）が供給され、空調対象空間が冷却される。
【０１４７】
またこのとき、前記水冷媒熱交換器７の入口側（流入側）の前記戻り管２９（詳細には個別戻り管２９ｂ）に設けた前記入水温度センサ１２３が検出した冷水の前記入水温度Ｔ１（戻り温度）が所定の目標戻り温度となるように前記圧縮機５の回転数を制御する、いわゆる戻り温度制御が行われる。この場合、当該目標戻り温度が前記冷房制御値の例となり、上記の制御を行う圧縮機制御部４４Ｂは第３圧縮機制御手段として機能する。あるいは、前記水冷媒熱交換器７の出口側（流出側）の前記往き管２８に温度センサを設けて、検出した冷水の往き温度に応じて、その往き温度が所定の目標往き温度となるように前記圧縮機５の回転数を制御する、いわゆる往き温度制御を行ってもよい。この場合、当該目標往き温度が前記冷房制御値の例となる。
【０１４８】
また、上記においては、熱源部の例として、熱源側熱交換器としての空気熱交換器１０に冷媒を通じる一方で外気を送風する室外ファン９を有し、熱源としての外気と前記冷媒とが熱交換される、空気熱源式のヒートポンプである前記室外機４を使用した場合を例にとって説明したが、これに限られない。すなわち、熱源機を、熱源側熱交換器に対して水や不凍液が供給されそれらの液体と冷媒とが当該熱源側熱交換器において熱交換する構成のものとしてもよい。
また、地中又は比較的大容量の水源中に熱源側熱交換器を設け、この熱源側熱交換器で前記地中又は前記水源と冷媒とが熱交換する構成のものとしてもよい。さらには、前記地中又は前記水源の熱を用いたヒートポンプ回路と空気熱を用いた別のヒートポンプ回路とを備えた複合熱源型の構成としてもよい。
さらには、熱源側熱交換器において前記冷媒と熱交換できるものであれば、前記液体や前記外気や前記水源に代えて、それ以外のもの（例えば、発煙、排煙、各種高温ガス等を含む気体や、熱砂、塵埃、各種粒子等を含む流動固体）を熱源側熱交換器に通じたり、太陽光、反射光、その他輻射等による熱を熱源側熱交換器に供給して用いる構成としても良い。
【０１４９】
また、電気式の熱源部を備える暖房装置の別の例として、熱源部としての電熱ヒータを備えるとともにその電熱ヒータの能力を（例えば室温設定により）変更可能な電気ストーブに対し、本発明による上記手法を適用してもよい。この場合も、前記と同様の効果を得る。
【０１５０】
また、以上において、図３、図５等の各図中に示す矢印は信号の流れの一例を示すものであり、信号の流れ方向を限定するものではない。
【０１５１】
また、図１１、図１４に示すフローチャートは本発明を上記フローに示す手順に限定するものではなく、発明の趣旨及び技術的思想を逸脱しない範囲内で手順の追加・削除又は順番の変更等をしてもよい。
【０１５２】
また、以上既に述べた以外にも、上記実施形態や各変形例による手法を適宜組み合わせて利用しても良い。
【０１５３】
その他、一々例示はしないが、本発明は、その趣旨を逸脱しない範囲内において、種々の変更が加えられて実施されるものである。
【符号の説明】
【０１５４】
５                圧縮機（ヒートポンプ装置）
７                水冷媒熱交換器（ヒートポンプ装置）
１０                空気熱交換器（ヒートポンプ装置）
１４                室内熱交換器
１７                室内機（暖房端末、冷房端末）
２０Ｂ              エアコン設定温度変更部（暖房制御値設定手段；冷房制御値設定手段）
２７                床暖房端末（暖房端末）
４４                圧縮機制御部（熱源制御手段）
４４Ｂ１            床暖目標回転数決定部（第１圧縮機制御手段；第３圧縮機制御手段）
４４Ｂ２            エアコン目標回転数決定部（第２圧縮機制御手段；第４圧縮機制御手段）
４４Ｅ              床暖房レベル設定部（暖房制御値設定手段）
２００                ＨＥＭＳ機器（電力管理システム）
Ｔａ              目標戻り温度（暖房制御値；冷房制御値）
Ｔｃｏｎ          エアコン設定温度（暖房制御値；冷房制御値）
【図１】
2020190349.tif 000003
【図２】
2020190349.tif 000004
【図３】
2020190349.tif 000005
【図４】
2020190349.tif 000006
【図５】
2020190349.tif 000007
【図６】
2020190349.tif 000008
【図７】
2020190349.tif 000009
【図８】
2020190349.tif 000010
【図９】
2020190349.tif 000011
【図１０】
2020190349.tif 000012
【図１１】
2020190349.tif 000013
【図１２】
2020190349.tif 000014
【図１３】
2020190349.tif 000015
【図１４】
2020190349.tif 000016